(57)【特許請求の範囲】
【請求項１】
ゴミの捕集部と、捕集部の周囲に形成されるフランジ部と、フランジ部から起立して形成される取手部とを備えた排水目皿であって、取手部の起立部の外周面に断面が曲線状である溝が形成されていることを特徴とする排水目皿。
【請求項２】
前記溝が取手部の外周面に沿って略水平に、取手部の全幅に渡って形成されていることを特徴とする請求項１に記載の排水目皿。
【請求項３】
前記溝の深さが上部より下部の方が大きく形成されていることを特徴とする請求項１又は２に記載の排水目皿。
【請求項４】
取手部が正面視で略台形状に形成されていることを特徴とする請求項１から３のいずれかに記載の排水目皿。
【発明の詳細な説明】
【技術分野】
【０００１】
本発明は、毛髪、繊維くず、その他のゴミを捕集するゴミ捕集部を有し、例えば、浴室や洗面化粧台の排水部に設置する排水目皿（ヘアキャッチャー）に関する。
【背景技術】
【０００２】
従来、浴室の排水口などに取り付けられ、排水のみを通して毛髪やその他のゴミを捕集するものとして、図６（ａ）に示すような構成の排水目皿８０が知られている。この排水目皿８０は、環状の平坦なフランジ部８２と、その内側の捕集部である網目状排水孔８１と、中心部にオーバフロー用排水筒８３を備えており、フランジ部８２から上方に起立しその上端で水平外側に伸びる取手部８４を設けている。
【０００３】
同様に、浴室の排水口に設置するヘアキャッチャーにおいて、ゴミ捕集面の縁から筒部が立ち上げられ、筒部上端には取手が設けられたものが知られている（特許文献１参照）。また、浴室の排水口に設置するヘアキャッチャーにおいて、把手が折り曲げ可能であり、排水口からの着脱時には舌片状の把手を直立させて用いるものが知られている（特許文献２参照）。
【先行技術文献】
【特許文献】
【０００４】
【特許文献１】特開２００７−２１１５８２号公報
【特許文献２】特開平９−２５６４３９号公報
【発明の概要】
【発明が解決しようとする課題】
【０００５】
図６（ａ）に示す従来の排水目皿８０のように、取手部８４がフランジ部８２より起立し網目状排水孔８１より上方に設けられていると、網目状排水孔８１に手が触れないので、ゴミを衛生的に捨てることができる。しかしながら、取手部８４の外側から排水目皿８０に流れ込む排水とともに流されてくる毛髪等のゴミが取手部に絡みやすいという問題がある。
【０００６】
図６（ｂ）は、排水目皿８０を、排水口に取り付けるためのアダプタ１０に装着した状態を示す。取手部８４がフランジ部８２から起立して形成されていると、取手部８４の外面側から流れ込む排水が、フランジ部８２とアダプタ１０の間の隙間４８の直ぐ上で取手部８４によって堰き止められて滞留水８５が生じ、排水とともに毛髪１５が隙間４８内に流れ込んで詰まったり、絡まったりし易い。
【０００７】
本発明は、排水とともに流れてくる毛髪などのゴミが、排水目皿のフランジ部から起立した取手部に絡みにくくするとともに、フランジ部とアダプタの間の隙間から排水とともに毛髪が流れ出て詰まったりすることを防止し、排水目皿の捕集部に極力捕集されるようにして、排水目皿の清掃の際に、捕集ゴミを捕集部から一括して取り除くことができる、取り扱いが簡単な排水目皿を実現することを課題とする。
【課題を解決するための手段】
【０００８】
本発明は上記課題を解決するために、ゴミの捕集部と、捕集部の周囲に形成されるフランジ部と、フランジ部から起立して形成される取手部とを備えた排水目皿であって、取手部の起立部の外周面に断面が曲線状である溝が形成されていることを特徴とする排水目皿を提供する。
【０００９】
前記溝が取手部の外周面に沿って略水平に、取手部の全幅に渡って形成されていることが好ましい。
【００１０】
前記溝の深さが上部より下部の方が大きく形成されていることが好ましい。
【００１１】
取手部が正面視で略台形状に形成されていることが好ましい。
【発明の効果】
【００１２】
本発明の排水目皿は、取手部の起立部における外周面に、垂直断面が曲線状である溝が形成されているから、排水とともに流れてきた毛髪などのゴミは、取手部や排水目皿の排水口への取り付け部に絡んだり詰まったりしにくくなり、毛髪などのゴミが捕集部で集中的に捕集され易くなるので、排水目皿の清掃の際に、捕集ゴミを取り除き易くなる。
【図面の簡単な説明】
【００１３】
【図１】本発明の排水目皿の実施例１の構成を示す図であり、（ａ）は斜視図であり、（ｂ）は正面図である。
【図２】本発明の排水目皿の実施例１の構成を示す図であり、（ａ）は平面図であり、（ｂ）は側面図である。
【図３】本発明の排水目皿の実施例１の構成を示す図であり、（ａ）は図２（ａ）のＡ−Ａ断面図であり、（ｂ）は（ａ）の要部拡大図であり、（ｃ）は作用を説明する要部側面図である。
【図４】実施例１において、（ａ）は排水口に排水ケース及びアダプタを取り付けた状態を示す図であり、（ｂ）はさらに排水目皿を排水ケース及びアダプタを介して排水口に取り付けた状態を示す図である。
【図５】本発明の排水目皿の実施例２の構成を示す図であり、（ａ）は斜視図であり、（ｂ）は断面図である。
【図６】排水目皿の従来例を説明する図であり、（ａ）は斜視図であり、（ｂ）は排水口に取り付けた状態の要部を示す図である。
【発明を実施するための形態】
【００１４】
本発明に係る排水目皿を実施するための形態を実施例に基づき図面を参照して、以下説明する。
【実施例１】
【００１５】
図１〜４は、本発明に係る排水目皿の実施例１を説明する図である。この実施例１の排水目皿１は、ゴミの捕集部２と、捕集部２の周囲に形成されたフランジ部３と、フランジ部３から起立して形成される取手部４とを備えている。
【００１６】
フランジ部３は、排水目皿１の上端において、径方向外側に水平に張りだした平坦な面を有する環状のフランジとして形成されている。フランジ部３は、排水目皿１の周囲から流れ込む排水を捕集部２へ導入するとともに、浴室の洗い場５などの排水口６への取り付け面となる（図４（ｂ）参照）。
【００１７】
フランジ部３の周方向の２箇所の下面には、図１（ａ）、（ｂ）、図２（ｂ）に示すように、突縁７が形成されている。この突縁７は、フランジ部３の下面から下方に突出し下端で外方に水平に張りだすように断面Ｌ字型であって、後記する環状の上部周壁８の外面に沿うように平面視で湾曲状に形成されている。この突縁７は、後記するが、排水目皿１を排水ケース９及びアダプタ１０を介して排水口６に取り付ける際に、アダプタ１０の受け溝１１内に嵌入される。これにより、フランジ部３がアダプタ１０と略面一となるようにして、排水目皿１が排水口６に取り付けられる（図４（ｂ）参照）。なお、突縁７は、この実施例１では、周方向の２箇所の下面に設けているが、特に突縁７は２箇所に限定されることはなく、排水ケース９の装着するアダプタ１０の受け溝１１が形成されている数に合わせて、さらに多くの箇所に設けてもよい。
【００１８】
捕集部２は、複数の段部を有する構成としてもよいし、複数の段部を有することなく単純な皿状の構成としてもよい。本実施例１においては、捕集部２は、複数の段部を有する構成で説明するが、複数の段部として、上段部１２と下段部（底部）１３の２つの段部を備えている。なお、複数の段部を有することのない捕集部は、後記する実施例２において説明する。
【００１９】
図１（ａ）、図２（ａ）及び図３（ａ）に示すように、フランジ部３は、その内周縁において下方に向けて曲げられた曲げ部１４を介して、環状の上部周壁８に連続して接続されている。そして、上部周壁８の下端から水平に曲げられて、上段部１２に連続して接続されている。この上段部１２は、排水目皿１において、最上部であるフランジ部３と、最下部である下段部１３との間の高さに位置する、いわば中間の段部である。
【００２０】
なお、捕集部２の上段部１２は、下段部１３のように毛髪などのゴミを直接捕捉する作用を行うものではなく、排水を上段部１２に沿うように流して、毛髪などのゴミを浮遊させながら下段部１３に誘導することで、毛髪１５などのゴミを下段部１３で一括して捕集し易くする補助的な機能を有するものである。
【００２１】
本実施例１では、図１（ａ）、図２（ａ）に示すように、上段部１２には、複数の排水孔１６が周方向に間隔をおいて形成されており、上段部１２に沿って流れる排水の一部が通過可能に構成されている。しかし、上段部１２に排水孔１６を設けない構成としてもよい。排水孔１６を設けるか否か、また、排水孔１６を設ける場合はその数、形状、位置などは、排水目皿１が設置される場所（例．浴室の洗い場、洗面ボウル等）や排水量などによって適宜設計される事項である。
【００２２】
上段部１２は、その内周縁から下方に向けて曲げられ下部周壁１７に連続して接続され、さらに、下部周壁１７の下端は水平に曲げられ、下段部（底部）１３に連続して接続されている。下部周壁１７は、垂直面又は傾斜面で形成され、その上部に複数の排水孔１８が周方向に間隔をおいて形成されている。なお、図示しないが、下部周壁１７には、このような排水孔１８を設けない構成としてもよい。
【００２３】
下段部１３は、排水目皿１の底部に相当する部分であり、その上面に同心円状に複数の環状のリブ１９が上に向けて凸に形成されており、互いに隣接するリブ１９の間に、複数の排水孔２１が周方向に間隔をおいて形成されている。下段部１３は、排水孔２１を通過させて排水を排出するとともに、ゴミを捕集する機能を有する。リブ１９は、捕集したゴミを下段部１３の表面に付着しにくくさせて、排水目皿１の清掃性を高めるとともに、捕集部２の強度を向上する機能を有する。
【００２４】
図１（ａ）、図２（ａ）、（ｂ）及び図３（ａ）に示すように、取手部４がフランジ部３の上面から起立して形成されているが、ここでは、この起立する部分（立ち上がる部分）を「起立部」と言い、起立部２０より上の上方に伸びる部分を取手部４の上部２２と言う。取手部４は、図１（ａ）、（ｂ）に示すように、正面視で上方に向けて徐々に横幅（周方向の幅）が小さくなり略台形状に形成されている。そして、取手部４の上部２２の上端は、径方向外側に向けて略水平に折り曲げられ、指掛りとなる摘み部２３が形成されている。
【００２５】
取手部４の外周面（背面）２４は、全体として、図２（ａ）に示すように、フランジ部３の外周縁２６に沿うように平面視で湾曲状に形成されている。取手部４の起立部２０においてその外周面２４には、図３（ａ）、（ｂ）に断面図を示すように、垂直断面が曲線状の溝２５が形成されている。この曲線状の溝２５は、取手部４の外周面２４に沿って略水平に、取手部４の周方向全幅に渡って形成されている。
【００２６】
換言すると、起立部２０は、その外周面２４において、フランジ部３の外周縁２６から排水目皿１の径方向中心に向かう垂直断面が曲線状（凹湾曲状）の溝２５を介して立ち上げられている。溝２５の曲率半径Ｒは、一定（例えば、３ｍｍ以上）に形成されている。
【００２７】
なお、溝２５の最も深い底の部分（図３（ｂ）の断面図において、断面内でフランジ部３の外周縁２６又は上縁３０から水平方向に最も離れている溝２５の底の部分）を底部２７とし、溝２５の底部２７より下方の部分を溝２５の下部２８とし、底部２７より上方の部分を溝２５の上部２９とすると、溝２５の下部２８の湾曲面の曲率半径は、溝２５の上部２９の湾曲面の曲率半径より、若干小さく形成されている構成としてもよい。
【００２８】
また、溝２５の水平方向における深さは、溝２５の下部の方が溝２５の上部より深い。即ち、図３（ｂ）において、フランジ部３の外周縁２６（溝２５の下縁）から溝２５の底部２７までの距離（深さ）ｄ１は、溝２５の上縁３０から溝２５の底部２７までの距離（深さ）ｄ２より大きく形成されている。起立部２０では、外周面２４が、フランジ部３の外周縁２６から溝２５を介して、取手部４の上部２２に連続的に接続されるように形成されていることにより、フランジ部３の外周縁２６から内側に引っ込んだ状態で取手部４が起立して形成され、取手部４の外側には、溝２５を含めて空間３１が形成される（図３（ａ）、（ｃ）参照）。
【００２９】
このような空間３１を設けたことにより、フランジ部３とアダプタ１０の間の隙間４８のすぐ上で取手部４によって排水が堰き止められるようなことがなくなり、取手部４の外面側から流れてきた排水は、空間３１から溝２５内に流れ込むため、毛髪１５が排水とともに隙間４８内に流れ込んで詰まったり、或いは取手部４に絡まったりしにくくなる（図３（ｃ）参照）。
【００３０】
（作用）
以上の構成から成る排水目皿１を排水口６へ装着する手段、及び排水目皿１の作用について、図４を中心にして以下説明する。排水口６に排水ケース９を設置してから、排水目皿１を、アダプタ１０を介してこの排水ケース９に装着し排水口６に取り付ける。そのためには、まず、図４（ａ）に示すように、排水ケース９のフランジ３５とアダプタ１０のフランジ３６との間に、シール３７を介して、排水口６に形成された棚部３８を挟んだ状態とする。
【００３１】
そして、排水ケース９のフランジ３５の内周面に形成されたネジ３９に、上方からアダプタ１０の外周面に形成されたネジ４０を螺合し、棚部３８を締め付けるようにして、アダプタ１０を排水ケース９のフランジ３５に締着する。これにより、排水ケース９は、排水口６内に設置される。この排水ケース９内に、下端が開口した排水筒４１が、その上端のフランジ４２をシール４３を介してアダプタ１０の下端フランジ４４に引っかけるようにして装着する。
【００３２】
そして、図４（ｂ）に示すように、排水目皿１の湾曲状の突縁７を、アダプタ１０の内面において周方向に形成された受け溝１１内に、水平回動するようにして嵌入し、排水目皿１をアダプタ１０に装着する。これにより、排水目皿１は、排水ケース９に取り付けることができる。
【００３３】
図４（ｂ）に示すように、排水蓋４５の周囲から排水口６内に流れ込んだ排水は、排水目皿１にフランジ部３から流れ込み、上部周壁８に案内されて上段部１２の表面に沿って流れる。さらに、排水は、上段部１２から下段部１３に流れ落ち、複数の排水孔２１を通過して排水筒４１内に排出される。そして、排水は排水筒４１の下方から排水ケース９の堰部４６を越えて外側に流れて、排出管４７から排水路などに排出される。
【００３４】
排水とともに排水目皿１内に流れ込み、下段部１３の排水孔２１を通過できない毛髪などのゴミは、下段部１３で捕集される。そして、排水目皿１を清掃する際には、排水目皿１をアダプタ１０から取り外して、下段部１３などに捕集されたゴミを取り除けばよい。
【００３５】
本発明の排水目皿１は、図３（ａ）に示すように、取手部４の起立部２０において、その外周面２４に溝２５が形成されており、この溝２５を介してフランジ部３の外周縁２６より取手部４の上部２２における外周面２４に接続されており、空間３１が形成されている。取手部４は、このような構成であるので、取手部４の外面側から流れてきた排水は、図３（ｃ）の白抜き矢印に示すように、空間３１から溝２５内に流れ込み、その排水の一部は溝２５の面に沿って側方に流れ出て上段部１２に流れ込む。排水量が少ない場合はこのようにして捕集部２へ排水が流されるが、排水量が多い場合は、これに加えて、排水は溝２５に沿って空間３１を上昇し、取手部４の外周面２４の外側に滞留し、さらに取手部４の外周面２４に沿って側方に廻りこむように流れ出て上段部１２に流れ込む。
【００３６】
従って、排水量が少ない場合は、排水とともに流れてきた毛髪１５は、溝２５内を側方に流れ出る排水とともに流され、上段部１２に向けて誘導される。また、排水量が多い場合は、これに加えて、毛髪１５は、排水とともに溝２５内を上昇し、取手部４の外周面２４に沿って滞留していく排水中を浮遊しながら、取手部４の外周面２４に沿って側方に流され、上段部１２に向けて誘導される。このため、フランジ部３とアダプタ１０の間の隙間４８のすぐ上で取手部４によって排水が堰き止められるようなことがなく、その結果、毛髪１５が排水とともに隙間４８内に流れ込んで詰まったり、或いは取手部４に絡まったりしにくくなる。
【００３７】
加えて、本発明の排水目皿１は、取手部４が、図１（ａ）、（ｂ）に示すように、正面視で略台形状であり、上方に向けて徐々に横幅（周方向の幅）が小さくなるように形成されている。このために、上記のように溝２５内を上昇し取手部４の外周面２４に沿って滞留していく排水は、上昇するに従って、徐々に横幅が小さくなる取手部４の側方から上段部１２に向けて回り込む（或いは漏れ出る）ようにして流され易くなる。この結果、排水とともに流されてきた毛髪１５も、排水中に浮遊しながら流され易くなり、上段部１２に向けて効果的に誘導され、取手部４に絡みつきにくくなる。
【００３８】
以上のとおり、本発明の排水目皿１では、取手部４の外面側から排水とともに流れてきた毛髪１５は、毛髪１５が排水とともに隙間４８内に流れ込んで詰まったり、或いは取手部４に絡まったりしにくくなり、フランジ部３から上段部１２を排水中に浮遊して廻りこみながら下段部１３に、効果的に誘導される。従って、毛髪１５などのゴミが下段部１３に集まり易くなるので、排水目皿１の清掃に際しても、ゴミを一括して簡単に取り除くことが可能となる。
【実施例２】
【００３９】
図５（ａ）、（ｂ）は、本発明に係る排水目皿の実施例２を説明する図である。この実施例２の排水目皿５１は、実施例１の排水目皿１とほぼ同じ構成であり、特に取手部の構成については同じであるが、捕集部の構成において異なる。以下、実施例２について、実施例１と異なる捕集部の構成を中心に説明し、実施例１と同じ構成は符号を同じとし、その説明を省略する。
【００４０】
実施例２の排水目皿５１は、捕集部５２、フランジ部５３、取手部５４及び周壁５５を備えており、全体的にほぼ皿状に形成されている。上記実施例１においては、その排水目皿１の捕集部２は、上段部１２と下段部１３の２つの段部を備えた構成であるが、この実施例２においては、その排水目皿の捕集部５２は、複数の段部を有する構成ではない一例を示すものである。
【００４１】
フランジ部５３は、その内周縁において下方に向けて曲げられた曲げ部５６を介して、環状の周壁５５に連続して接続されている。さらに、周壁５５は捕集部（底部）５２に連続して接続されている。周壁５５は、フランジ部５３から捕集部５２にかけてその直径が徐々に小さくなるように傾斜して形成されている。
【００４２】
この実施例２では、周壁５７の上部に周方向に複数の排水孔５８が間隔をおいて形成されている構成を示す。しかし、排水目皿５０を設置すべき場所（例えば、浴室の洗い場、洗面ボウルなど）や、排水口の排水量などの状況に応じて、周壁５５に排水孔５８が形成されている構成としてもよいし、形成されていない構成としてもよい。
【００４３】
排水目皿５１の捕集部（底部）５２は、実施例１の排水目皿１の下段部（底部）１３と同じ構成であり、その上面に同心円状に複数の環状のリブ５９が上に向けて凸に形成されており、互いに隣接するリブ５９の間に、複数の排水孔６０が周方向に間隔をおいて形成されている。捕集部５２は、排水を排水孔６０を通過させて排出するとともに、排水とともに流されてくる毛髪などのゴミを捕集する機能を有する。
【００４４】
実施例２において、取手部５４は実施例１と同様にフランジ部５３上に設けられ、その外面に溝５７が形成ており、その構成及び作用効果は全く同じである。また、実施例２の排水目皿５１は、その使用に際しては、実施例１における排水目皿１の排水口６への取付け構造（図４参照）と全く同様の構成によって、排水ケース９及びアダプタ１０を介して排水口６に取り付けられて使用される。
【００４５】
以上、本発明に係る排水目皿を実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００４６】
本発明に係る排水目皿は上記のような構成であるから、浴室の洗い場の床に設けた排水口だけでなく、洗面ボウル、キッチンのシンクなどの排水口にも適用可能である。
【符号の説明】
【００４７】
（実施例１）
１  排水目皿                                 
２  捕集部                                   
３  フランジ部                               
４  取手部                                   
５  浴室の洗い場                             
６  排水口                                   
７  突縁                                     
８  上部周壁                                 
９  排水ケース                               
１０  アダプタ                               
１１  アダプタの受け溝                       
１２  上段部                                 
１３  下段部（底部）                         
１４  曲げ部                                 
１５  毛髪                                   
１６  上段部の排水孔                         
１７  下部周壁                               
１８  下部周壁の排水孔                       
１９  リブ                                   
２０  起立部                                 
２１  下段部の排水孔                         
２２  起立部の上部                           
２３  摘み部                                   
２４  取手部の外周面                         
２５  起立部の溝                             
２６  フランジ部の外周縁                     
２７  起立部の溝の底部                       
２８  起立部の溝の下部                       
２９  起立部の溝の上部                       
３０  起立部の溝の上縁                       
３１  空間                           
３５  排水ケースのフランジ                   
３６  アダプタのフランジ                     
３７  シール                                 
３８  棚部                                   
３９  排水ケースのフランジのネジ             
４０  アダプタのネジ                         
４１  排水筒                                 
４２  排水筒のフランジ                   
４３  シール                                 
４４  アダプタの下端フランジ             
４５  排水蓋                                 
４６  堰部                                   
４７  排出管                                 
４８  隙間
（実施例２）                                   
５１  排水目皿
５２  捕集部（底部）
５３  フランジ部
５４  取手部
５５  周壁
５６  曲げ部
５７  溝
５８  周壁の排水孔
５９  環状のリブ
６０  捕集部（底部）の排水孔
（従来例）
８０  排水目皿
８１  網目状排水孔
８２  フランジ部
８３  オーバフロー用排水筒
８４  取手部
８５  滞留水
【図１】
0005387194.tif 000002
【図２】
0005387194.tif 000003
【図３】
0005387194.tif 000004
【図４】
0005387194.tif 000005
【図５】
0005387194.tif 000006
【図６】
0005387194.tif 000007